(57)【要約】【課題】ガイド軸の幅方向位置を微調整できるとともに、その調整量、調整方向を容易に目視確認できるようする。【解決手段】移動体の上端部に取り付けられるケース１と、ケース上に突出して移動体を固定側ガイドレールに沿って案内されるガイド軸２と、ガイド軸をケース幅方向に移動調整する調整機構とを備えている移動体のガイド装置において、前記調整機構は、ケース１に設けられた横穴１６に配置されて外部から回動操作可能な調整用部材６と、該調整用部材６の回動によりケース内を進退してガイド軸２を幅方向に移動調整する調整部材３と、ガイド軸２の移動調整と同期してケース幅方向に移動される検出部材４を有して調整部材によるガイド軸の調整量を検出部材４を介してケース外部に表示する表示手段（１７，４２）とを備えている。【選択図】図８
2011001781.tif 000002
【特許請求の範囲】
【請求項１】
移動体の上端部に取り付けられるケースと、前記ケース上に突出して前記移動体を固定側のガイドレールに沿って案内されるガイド軸と、前記ガイド軸をケース幅方向に移動調整する調整機構とを備えている移動体のガイド装置において、
前記調整機構は、前記ケースに設けられた横穴に配置されて外部から回動操作可能な調整用部材と、前記調整用部材の回動により前記ケース内を進退して前記ガイド軸を幅方向に移動調整する調整部材と、前記ガイド軸の移動調整と同期してケース幅方向に移動される検出部材を有して前記調整部材によるガイド軸の調整量を前記検出部材を介してケース外部に表示する表示手段とを備えたことを特徴とする移動体のガイド装置。
【請求項２】
前記表示手段は、前記ケースの後端面に設けられて前記横穴の開口付近に配された表示窓を有し、前記検出部材の一部に設けられた表示面を前記表示窓に配置していることを特徴とする請求項１に記載の移動体のガイド装置。
【請求項３】
前記検出部材は、前側に設けられた嵌合部と、後側端面に設けられた前記表示面と、前後中間部分に設けられたピンとを有し、前記嵌合部が前記ガイド軸の対応軸部と嵌合され、前記ピンが前記調整部材に設けられたカム溝と嵌合していることを特徴とする請求項１又は２に記載の移動体のガイド装置。
【請求項４】
上側及び後側が開口されて前記移動体の上端部に設けられた配置穴に埋設固定されるブラケットと、前記ブラケットの上側に設けられた係止穴と、前記ケースの上側に設けられて前記係止穴に係合する爪と、前記爪の一部からケース上面より上へ突出して前記係合を解除操作可能な操作片部とを有していることを特徴とする請求項１から３の何れかに記載の移動体のガイド装置。
【発明の詳細な説明】
【技術分野】
【０００１】
本発明は、引戸等の移動体に設けられて固定側のガイドレールに対するガイド軸の位置決め調整を行えるようにした移動体のガイド装置に関し、特にガイド軸をガイドレールと交差する幅方向に微調整するタイプに好適なガイド装置に関する。
【背景技術】
【０００２】
対象のガイド装置は、移動体の上端部に取り付けられるケースと、ケース上に突出して移動体を固定側のガイドレールに沿って案内されるガイド軸と、ガイド軸をケース幅方向に移動調整する調整機構とを備え、移動体の上端部に取り付けられて、ガイド軸をガイドレールのガイド溝に突出させることにより、引戸等の移動体をスムーズに移動案内するものである。また、ガイド装置の調整機構は、移動体に対するガイド装置の取付誤差、ガイド軸とガイドレール、更にはガイド軸とガイドレールに沿って装着されて移動体を閉方向へ引き込む引込装置や摺動補助装置（例えば特開２００８−１４４５６７号公報を参照）との相対的な誤差を吸収可能にするものである。
【０００３】
従来のガイド装置には、外方から調整ねじの操作により調整可能としたもの（特許文献１）や、外方からのレバー操作によりこれと噛合する凹凸部分（歯形）の噛み合い箇所を変えることにより調整可能としたもの（特許文献２、特に図１８と図１９）がある。すなわち、特許文献１の調整機構は、ケース外部から回動操作されるねじ部材（調整螺子）と、ねじ部材の回動によりケース内を進退してガイド軸を幅方向に移動する調整部材とからなる。特許文献２の調整機構は、調整部材が前側を支点として揺動可能に配置されているとともに、外方から操作するレバー片、及びケース側の凹凸部分に対応して設けられて互いに噛み合う凹凸部分とを有している。
【先行技術文献】
【特許文献】
【０００４】
【特許文献１】特開２００７−１０７３０１号公報
【特許文献２】特許第３１１８４５号公報
【発明の概要】
【発明が解決しようとする課題】
【０００５】
上記ガイド装置の調整操作は、引戸等の移動体がガイドレールに配置された使用状態で行われることもある。ところが、特許文献１の調整機構では、そのような使用状態においてはガイド軸の現在位置、例えば移動体の厚さないし幅寸法内で左か右か、又は、左右中間にあるか否かについて目視確認できない。このため、この調整機構では、ガイド軸がねじ部材の回動により調整部材を介してねじ送り式に細かく微調整されるが、その調整量が不明である。しかも、引戸等の移動体では、ガイド装置が上両端側にそれぞれ取り付けられており、ガイド軸の調整として、両方のガイド装置共に行わなければならないため、例えば各ガイド軸がねじ部材の締め度合いなどによって同軸線上に一致しなくなることも起き、それに起因して作動不良になる虞もあった。
【０００６】
これに対して、特許文献２の調整機構では、調整部材がレバー片を利用し付勢力に抗して押圧しつつ左右に揺動操作され、またケース側凹凸部分に対し調整部材側の凹凸部分の噛み合い箇所を変えるため、調整量についてはレバー片の位置により大まかには推察可能となる。しかし、この調整機構では、調整操作が面倒であり、しかも調整量が凹凸の寸法や数に応じて決ってしまうため微調整が困難である。
【０００７】
なお、以上のガイド装置は、引戸等の移動体への取付時において、例えばねじの締め付けが弱いとねじが締まりきっておらず部材間で緩衝する虞、反対に過剰に締め付けるとケースが変形したり、ガイド装置がねじの締め付け程度により傾き易く作動不良の原因となる虞もある。また、このため、ガイド装置の取付構造としては、特許文献１の図７〜図９に開示されているごとく移動体に予め取り付けられるベースないしはブラケットに対し、ガイド装置を簡単かつ精度よく装着することが好ましい。但し、特許文献１の取付構造だと、ガイド装置が一旦取り付けられた後、メンテナンス等で取り外したいときに簡単には回収できない。
【０００８】
本発明は以上の課題を解決するものである。その目的は、ガイド軸の幅方向位置を微調整できるとともに、その調整量、調整方向を容易に目視確認できるようにした移動体のガイド装置を提供することにある。他の目的は、引戸等の移動体へ簡単かつ精度よく装着するとともに簡単に外して回収も容易に行えるようにすることにある。
【課題を解決するための手段】
【０００９】
上記目的を達成するため本発明は、移動体の上端部に取り付けられるケースと、前記ケース上に突出して前記移動体を固定側のガイドレールに沿って案内されるガイド軸と、前記ガイド軸をケース幅方向に移動調整する調整機構とを備えている移動体のガイド装置において、前記調整機構は、前記ケースに設けられた横穴に配置されて外部から回動操作可能な調整用部材と、前記調整用部材の回動により前記ケース内を進退して前記ガイド軸を幅方向に移動調整する調整部材と、前記ガイド軸の移動調整と同期してケース幅方向に移動される検出部材を有して前記調整部材によるガイド軸の調整量を前記検出部材を介してケース外部に表示する表示手段とを備えたことを特徴としている。
【００１０】
以上の本発明において、移動体としては、引戸や引出体などであり、要は本体側又は固定側のガイドレールに沿って往復移動されるものであればよい。ガイドレールは、特許文献１に開示されているごとく本体に後付けされるレール構成、本体の上端面に沿って一体的に設けられるガイド溝構成の何れでもよい。
【００１１】
以上の本発明は請求項２〜４のごとく具体化されることがより好ましい。すなわち、
（１）前記表示手段は、前記ケースの後端面に設けられて前記横穴の開口付近に配されている表示窓を有し、前記検出部材の一部に設けられた表示面を前記表示窓に配置している構成である（請求項２）。
（２）前記検出部材は、前側に設けられた嵌合部と、後側端面に設けられた前記表示面と、前後中間部分に設けられたピンとを有し、前記嵌合部が前記ガイド軸の対応軸部と嵌合され、前記ピンが前記調整部材に設けられたカム溝と嵌合している構成である（請求項３）。
（３）上側及び後側（この後側は移動体の移動方向に位置した端面のことである）が開口されて前記移動体の上端部に設けられた配置穴に埋設固定されるブラケットと、前記ブラケットの上側に設けられた係止穴と、前記ケースの上側に設けられて前記係止穴に係合する爪と、前記爪の一部からケース上面より上へ突出して前記係合を解除操作可能な操作片部とを有している構成である（請求項４）。
【発明の効果】
【００１２】
請求項１の発明では、調整機構が回動操作可能な調整用部材、該調整用部材の回動によりガイド軸を幅方向に移動調整する調整部材を有しているため、特許文献１と同様にガイド軸をねじ送り式に微調整できる。同時に、本発明では、調整部材によるガイド軸の調整量を検出部材を介してケース外部に表示する表示手段を有しているため、該表示手段が調整機構によるガイド軸の調整しろや調整方向を分かるようにし、従来ガイド装置に比べて的確かつ正確に調整操作でき、しかも移動体の上端の前後に設けられた各ガイド装置を共に調整する場合にも各ガイド装置の調整量を一致させることができ、それらにより調整操作に起因した動作不良の虞を確実に解消できる。
【００１３】
請求項２の発明では、表示手段がケースの後端面に設けられた表示窓を有し、検出部材の一部に設けられた表示面をその表示窓に配置しているため実施容易であり、しかも表示窓が調整用部材を配置している横穴の開口付近にあるため例えば調整操作しながら表示手段で現在の調整量を確認できる。
【００１４】
請求項３の発明では、検出部材が前側の嵌合部、後側端面の表示面、前後中間部分のピンとからなるため簡易である。また、この検出部材は、ピンとカム溝とのカム作動により調整部材の前後動に連動するとともに、調整部材により調整されるガイド軸と同期して幅方向に移動される。この場合、ガイド軸に嵌合部を介して嵌合しているためガイド軸と一体的に動き易くなる。
【００１５】
請求項４の発明では、ガイド装置が特許文献１と同様に移動体に予め取り付けられたブラケットに対し係止孔と爪との係合を介してワンタッチで固定でき、しかもメンテナンス等で取り外したいときには操作片部を介して直ちに係合解除して回収できる。
【図面の簡単な説明】
【００１６】
【図１】本発明形態に係るガイド装置の細部を示し、（ａ）は平面図、（ｂ）は正面図、（ｃ）は側面図、（ｄ）は背面図、（ｅ）は底面図である。
【図２】上記ガイド装置と取付用ブラケットとの関係を示す斜視図である。
【図３】上記ガイド装置を取付用ブラケットに固定した状態で示す斜視図である。
【図４】図１（ａ）のＡ−Ａ線断面図に対応して示す全体構成図である。
【図５】図１（ｃ）のＢ−Ｂ線断面図に対応して示す全体構成図である。
【図６】上記ガイド装置の部品構成を示す分解斜視図である。
【図７】（ａ）〜（ｃ）は上記ガイド装置の引戸上端部への取付け手順を示す模式断面図である。
【図８】（ａ）〜（ｃ）は上記ガイド装置の調整状態を示す正面図及び各図の下に表示した各調整状態におれる表示窓の拡大図である。
【発明を実施するための形態】
【００１７】
以下、本発明を適用した形態例を図面を参照して説明する。この説明では、ガイド装置の構造、組立、移動体への取付構造、ガイド軸の調整方法の順に詳述する。なお、この形態では、移動体が特許文献１と同様に引戸を想定した例である。
【００１８】
（構造）形態のガイド装置７は、図１及び図４〜図６に示されるごとく、引戸９の上端側角部に取り付けられるケース１と、ケース１上に突出して引戸９を不図示の固定側のガイドレールに沿って案内されるガイド軸２と、ガイド軸２を突出方向へ付勢する圧縮コイルバネ２７と、ガイド軸２をケース幅方向に移動調整する調整機構とを備えている。また、前記調整機構は、ケース１に設けられた横穴に配置されて外部から回動操作可能な調整用ねじ部材６と、ねじ部材６の回動によりケース内を進退してガイド軸２を幅方向に移動調整する調整部材３と、ガイド軸２の移動調整と同期してケース幅方向に移動される検出部材４を有して調整部材によるガイド軸の調整量を検出部材４を介してケース外部に表示する表示手段（１７，４２）とを備えている。また、以上のガイド装置７は、図７のごとく引戸９に対し予め装着されるブラケット５を利用して取り付けられる。なお、構成部材の材質は、ケース１、調整部材３、検出部材４が樹脂、ガイド軸２が金属と樹脂、ブラケット５は金属であるが、材質的にはこれに限定されない。
【００１９】
ここで、ケース１は、図４〜図６に示されるごとく概略形状が前後面１０，１１と、上下面１２，１３と、両側面１４とで区画された矩形容器状をなしている。前面１０は開口されている。後面１１は、厚肉に形成されており、前方の空間に向かって貫通された横穴１６と、横穴１６に接近した箇所つまり横穴下側で前方の空間に向かって貫通された表示窓１７とを有している。横穴１６は、円形の開口であり、後面１１にあって上下中間より少し上側に位置している。表示窓１７は、小矩形の開口であり、横穴１６の真下に位置している。
【００２０】
上面１２は平坦面となっている。これに対し、下面１３は、後面１１側が最も低く、途中から前面１３までは一段高く（上げ底）なっている。上下面１２，１３には長孔１５が同軸線上に貫通形成されている。各長孔１５はケース幅方向に長い略楕円形の孔である。上面１２の後上側には、スリツト状の係止溝１２ａが両側面から切り欠いた状態に形成されている。下面１３の後側には凸部１３ａが設けられている。上面１２及び両側面１４には爪１９ａ付きの弾性操作片部１９が設けられている。各操作片部１９は、両側及び背面側がスリット状に切り欠かれているとともに、上端が上面１２より上へ突出されている。各操作片部１９の上下略中間には外側へ突設した爪１９ａが設けられている。両側面１４には、ねじ配置部１８と、上面縁部から下向きに突出されている凸部１４ａとが設けられている。ねじ配置部１８は、ねじ部材６を側方から横穴１６及びケース内に挿入可能にする形状の空間である。
【００２１】
ねじ部材６は、雄ねじ形状の軸部６ａと、軸部６ａの一端に設けられた頭部６ｂと、頭部６ｂの内端面に一体化されている鍔部６ｃとを有している。そして、以上のねじ部材６は、ケース１に対しねじ配置部１８に沿ってケース中央まで移動されると、鍔部６ｃがねじ配置部１８に設けられている係合溝１８ａに嵌合された状態に組み込まれる。
【００２２】
ガイド軸２は、図６に示されるごとく金属製のシャフト２０及び樹脂製のガイド部２６からなる。シャフト２０は、下から上に向かって比較的長い軸部２１、径大軸部２２、径小軸部２３からなる。軸部２１には、係止溝２５が下端周囲に設けられているとともに、圧縮コイルバネ２７が挿通配置される。径小軸部２３にはガイド部２６が支持される。このガイド部２６は、下側が径大部、上側が筒形部であり、例えば径小軸部２３に支持された状態で上側筒形部が固定側ガイドレールに嵌合される。なお、ガイド軸２としては、例えばガイド部２６に軸部を一体的に形成してシャフト２０を省略してもよい。また、ガイド部２６の形状は任意である。
【００２３】
調整部材３は、図４〜図６に示されるごとく概略形状が前後面３０，３１と、上下面３２，３３と、一部切り欠かれた両側面とで区画された小ブロックをなし、ケース１に対しケース前面１０側の開口から配置されて所定寸法だけ進退移動される。上下面３２，３３にはカム溝３４が縦に貫通形成されている。このカム溝３４は、平面視で斜めに形成されていて、調整部材３がケース１内に配置されたときに、長孔１５を斜めに横切る。下面３３は前側を除いて一段低くした段差となっている。後面３１は中央部から前側に向けて設けられたねじ孔３５を有している。このねじ孔３５は上記したねじ部材６の軸部６ａが螺合する。下面３３にはカム溝３６が後面３１とカム溝３４との間に設けられている。このカム溝３６は、カム溝３４とほぼ同じ傾斜角の斜めの溝形状である。なお、ねじ孔３５は、金属製ナットを対応部に装着したり、調整部材３の成形時にナットをインサートにより一体化するようにしてもよい。
【００２４】
検出部材４は、概略形状がアーム状をなし、前側に設けられたリング形嵌合部４１と、後側端面である表示面４２と、前後中間部分を一段低くした段差４３と、段差４３の前後中間に設けられてカム溝３６をトレースする凸形ないしはピン４４とを有している。表示面４２は、検出部材４の後側部分が細く形成され、縦筋付きの端面となっている。
【００２５】
（組立）以上の各部材の組立操作例を概説する。ここでは、まず、ねじ部材６が上記した要領でケース１に組み込まれる。次に、調整部材３及び検出部材４がピン４４とカム溝３６とを嵌合した状態で、ケース前側の開口よりケース１内に組み入れられる。その際にはねじ部材６がドライバー等で回動操作されて、軸部６ａが調整部材側のねじ孔３５に螺合される。なお、ねじ部材６及び調整部材３は、例えば、図４のごとくねじ孔３５に螺合された状態で、頭部６ｂを介して一方向へ回動されると調整部材３を同図の左側つまりケース後面側へ近づけるよう移動し、頭部６ｂを介して他方向へ回動されると調整部材３を同図の右側つまりケース前側へ移動する関係であればよい。
【００２６】
次に、ガイド軸２が組み付けられる。すなわち、ガイド軸２は、軸部２１がその軸回りに圧縮コイルバネ２７を配置した状態で、ケース上側の長孔１５、調整部材側のカム溝３４、検出部材側嵌合部４１のリング孔、ケース下側の長孔１５に挿通された後、長孔１５の先端周囲の係止溝２５にＥ形止め輪２８が装着される。これにより、ガイド装置７として組み立てられる。この組立状態では、ガイド軸２は、コイルバネ２７の付勢力により上へ最大まで突出しており、振動等により下向きの負荷を受けると、コイルバネ２７を弾性縮小しながら所定寸法だけ下向きに移動する。勿論、ガイド軸２は、その負荷がなくなると再び図４の初期位置まで突出される。
【００２７】
（移動体への取付構造）図７と図２は以上のガイド装置７を移動体である引戸９に対し専用のブラケット５を用いて取り付ける取付構造とその取付手順を示している。          
【００２８】
ブラケット５は、プレス成形品からなり、図３に示されているごとくガイド装置７のケース１を上から受け入れるよう正面視で略Ｕ字形状をなしている。ブラケット５には、底部および前面に貫通されているねじ用孔５ａ，５ｂと、両側上縁に切り欠かれている係止凹部５ｃと、両側及び底面に打ち抜かれている係止孔５ｄ，５ｅと、両側の後縁に折り曲げられている片部５ｆとが形成されている。
【００２９】
以上のブラケット５及びガイド装置７は、引戸９に対し次のようにして組み付けられる。図７（ａ）において、引戸９の上端面の角部ないしは縁部には正面視でＵ字形、側面視で矩形状の配置用空間９ａと、空間９ａの内側下面及び奥行方向の縦面にねじ下穴９ｂ，９ｃが設けられる。この場合、空間９ａはブラケット５に対応し、ねじ下穴９ｂ，９は孔５ａ，５ｂに対応して形成される。
【００３０】
空間９ａには、図７（ｂ）に示されるごとくブラケット５が固定用ねじ８により装着される。各ねじ８は孔５ａ，５ｂからねじ下穴３，４にねじ込まれる。その後は、ガイド装置７がブラケット５に対し上から下向きに挿入操作されることによりワンタッチで抜止め固定される。すなわち、ガイド装置７は、ブラケット５に対しケース側凸部１３ａ，凸部１４ａが係止孔５ｅ，係止凹部５ｃとそれぞれ係合し、係止溝１２ａが片部１５と係合することで前方への抜けが確実に阻止され、又、各操作片部の爪１９ａが対応する係止孔５ｄにそれぞれ弾性係合することにより上方への抜けが確実に阻止される。そして、この構造では、以上のようにしてガイド装置７がブラケット５に装着されると、ガイド装置７の荷重がブラケット５の全体で受け止められるため耐久性が向上される利点もある。
【００３１】
また、この構造では、例えば、長期使用によりガイド装置７を外したり交換したいときに迅速に対処できる。つまり、各操作片部１９は、ケース上面１２より上に突出しているため、その突出部を指で摘んで互いに近づけたり引寄せれば、爪１９ａが係止孔５ｄから係合解除されるので、その状態でガイド装置７を上方へ引き上げれば、ブラケット５からワンタッチ操作にて外すことができる。
【００３２】
（調整方法）図８は以上のガイド装置７において、ガイド軸２をケース幅方向に位置調整する調整状態を示している。すなわち、図８（ａ）の状態では、表示窓１７を見ると、検出部材３の表示面３２（二本の縦線が刻印されている）が表示窓１７の中央、つまり左右中間位置にあり、指標としてガイド軸２がケース１に対しケース幅方向の中間位置にあることを示している。この例では、ケース後面１１に「▼」が付設され、それにより表示面３２（つまりガイド軸２）がケース中間位置にあることを確認容易にしている。
【００３３】
図８（ｂ）はその状態からドライバ等により、ねじ部材６を紙面に向って時計方向に回したときの態様を示している。この状態では、ねじ部材６のねじピッチに応じて調整部材３が前進し、それに連動して、ガイド軸２が長孔１５の孔内においてカム溝３４のカム作用により右側へ移動され、かつ、検出部材３が嵌合部４１とガイド軸２との嵌合及びピン４４とカム溝３６とのカム作用によりガイド軸２と連動して同方向へ移動される。操作者は、表示窓１７を見ると、表示面３２が表示窓１７の右側にあり、指標としてガイド軸２がケース１に対しケース幅方向の最も右側にあることを確認できる。
【００３４】
図８（ｃ）は（ａ）の状態からねじ部材６を紙面に向って逆時計方向に回したときの態様を示している。この状態では、ねじ部材６のねじピッチに応じて調整部材３が後退し、それに連動して、ガイド軸２が長孔１５の孔内においてカム溝３４のカム作用により左側へ移動され、かつ、検出部材３が嵌合部４１とガイド軸２との嵌合及びピン４４とカム溝３６とのカム作用によりガイド軸２と連動して同方向へ移動される。操作者は、表示窓１７を見ると、表示面３２が表示窓１７の左側にあり、指標としてガイド軸２がケース１に対しケース幅方向の最も左側にあることを確認できる。なお、実際の最大調整幅は、通常、ガイド軸２の直径と長孔１５の長さとの差分に応じて±１〜２ｍｍ程度であり、この範囲内でのドライバ等によってガイド軸２の幅方向を微調整でき、表示窓１７を通じてその調整状態を目視確認できる。
【００３５】
なお、本発明は、請求項で特定される構成を実質的に備えておればよく、細部はこの形態を参考にして変更したり展開可能である。その一例は、ブラケット５を省略することである。
【符号の説明】
【００３６】
１…ケース（１６は横孔、１７は表示窓、１９は操作片部、１９ａは爪）
２…ガイド軸（２０はシャフト、２６はガイド部、２５は係止溝）
３…調整部材（３４はカム溝、３５はねじ孔、３６はカム溝）
４…検出部材（４１は嵌合部、４２は表示面、４４はピン）
５…ブラケット（５ａと５ｂは孔、５ｃは係止凹部、５ｄと５ｅは係止孔）
６…ねじ部材（調整用部材、６ａは軸部、６ｂは頭部、６ｃは鍔部）
７…ガイド装置
８…ねじ
９…引戸（移動体、９ａは配置用空間、９ａと９ｂは下穴）
【図１】
2011001781.tif 000003
【図２】
2011001781.tif 000004
【図３】
2011001781.tif 000005
【図４】
2011001781.tif 000006
【図５】
2011001781.tif 000007
【図６】
2011001781.tif 000008
【図７】
2011001781.tif 000009
【図８】
2011001781.tif 000010